(57)【特許請求の範囲】
【請求項１】
薄板材内に互いに平行な４本以上の折曲線によって５つ以上の折曲面を形成するとともに、いずれかの折曲面の内部に、折曲線に直交する方向の少なくとも２本の切り起こし線により、対向する折曲面に密着する当接片を形成し、
少なくとも１つの折曲面に他の折曲面を密着させるとともに、前記当接片を他の折曲面が密着している折曲面に対向する面に形成したことを特徴とする梱包用緩衝装置。
【請求項２】
前記当接片の一部、及び、当接片が密着する折曲面の一部に互いに係合する係止部を形成した請求項１に記載の梱包用緩衝装置。
【請求項３】
前記薄板材の両端部近傍のそれぞれに、少なくとも４つの折曲面、及び、単一又は複数の当接片を形成した請求項１又は２に記載の梱包用緩衝装置。
【発明の詳細な説明】
【０００１】
【発明の属する技術分野】
この発明は、梱包箱内において被梱包物と梱包箱内面との間の間隙に挿入される梱包用緩衝装置に関する。
【０００２】
【従来の技術】
電子機器等の製品を梱包箱内に収納する際に、被梱包物である製品と梱包箱の内面との間に間隙が形成される場合がある。例えば、１つの梱包箱内に大きさの異なる複数の被梱包物を収納する場合には、複数の被梱包物のうち最大の被梱包物の大きさに合わせて直方体形状を呈する梱包箱の大きさを決定する必要があり、複数の被梱包物のうち最大の被梱包物よりも小さい被梱包物と梱包箱の内面との間には最大の被梱包物との大きさの差に応じた間隙が形成される。
【０００３】
このように梱包箱内において、被梱包物と梱包箱の内面との間に間隙が形成されたままの状態で被梱包物を収納した梱包箱を搬送すると、搬送時に梱包箱に作用する振動や衝撃によって梱包箱内において被梱包物が移動し、被梱包物に損傷を与える問題がある。
【０００４】
そこで、従来の梱包箱では、被梱包物と梱包箱の内面との間の間隙に挿入される緩衝装置が用いられている。例えば、図１０に示すように、被梱包物として互いにＸ方向及びＹ方向の大きさが異なる２つの製品１０１及び製品１０２のそれぞれを、一対の緩衝部材１１１及び一対の緩衝部材１１２とともに単一の梱包箱内に収納する際に、大きい方の製品１０２に使用される緩衝部材１１２のＸ方向の長さに略一致する梱包箱のＸ方向の内法が、小さい方の製品１０１のＸ方向の長さとこれに使用される一対の緩衝部材１１１のＸ方向の長さとの和より大きくなる場合には、一方の緩衝部材１１１と梱包箱の内面との間の間隙に４角柱形状の緩衝装置１００が挿入される。
【０００５】
従来の緩衝装置１００として、図１１に示すように、１枚の段ボールを５か所において同一方向に折曲して第１〜第６の折曲面１０４〜１０９を形成し、第６の折曲面１０９の内側面を第２の折曲面１０５の外側面に密着させるとともに、第１の折曲面１０４の開放端１０４ａを第３の折曲面１０６と第４の折曲面１０７との間の折曲部分に当接させ、図１２に示すように、第６の折曲面１０９と第３の折曲面１０６とに固定用テープ１１０を貼付することにより、４角柱形状を維持させるようにしている。
【０００６】
【発明が解決しようとする課題】
しかしながら、図１０〜１２に示した従来の緩衝装置１００では、図１３（Ａ）に示すように、例えば、第５の折曲面１０８に矢印Ｆ１方向の剪断力が作用した場合には第１の折曲面１０４の開放端４ａが第３の折曲面１０６と第４の折曲面１０７との間の折曲部に当接することにより、緩衝装置１００の断面形状の変形を防止することができるが、図１３（Ｂ）に示すように、第５の折曲面１０８に矢印Ｆ２方向の剪断力が作用した場合には第１の折曲面１０４の開放端１０４ａが第３の折曲面１０６と第４の折曲面１０７との間の折曲部から離間し、緩衝装置１００の断面形状が容易に変形し、梱包箱内において十分な緩衝機能を発揮することができなくなる問題があった。
【０００７】
また、従来の緩衝装置１００は、素材となる段ボールのみによって４角柱形状を維持することができず、図１２に示したように固定用テープ１２を貼付することによって４角柱形状を維持するようにしているため、使用済の緩衝装置１００をリサイクル処理する際には、固定用テープ１２を段ボールから取り除く作業が必要になり、リサイクル処理作業が煩雑化する問題がある。
【０００８】
さらに、従来の緩衝装置１００では、第２の折曲面１０５及び第４の折曲面１０７とに平行な方向に十分な強度を与えることができず、第３の折曲面１０６と第５の折曲面１０８とに垂直方向の圧縮力が作用した場合に、第２の折曲面１０５、第４の折曲面１０７及び第６の折曲面１０９が図１３（Ａ）中破線で示すように変形する場合があり、梱包箱内において十分な緩衝機能を発揮することができなくなる問題があった。
【０００９】
この発明の目的は、形状の著しい複雑化によるコストの上昇を伴うことなく、剪断力及び圧縮力等の外力の作用による断面形状の容易な変形を確実に防止することができ、梱包箱内において十分な緩衝機能を発揮することができる梱包用緩衝装置を提供することにある。また、固定用テープを用いることなく形状を維持することができ、リサイクル処理作業の簡略化を実現できる梱包用緩衝装置を提供することにある。
【００１０】
【課題を解決するための手段】
この発明は、上記の課題を解決するための手段として、以下の構成を備えている。
【００１１】
(1) 薄板材内に互いに平行な４本以上の折曲線によって５つ以上の折曲面を形成するとともに、いずれかの折曲面の内部に、折曲線に直交する方向の少なくとも２本の切り起こし線により、対向する折曲面に密着する当接片を形成し、
少なくとも１つの折曲面に他の折曲面を密着させるとともに、前記当接片を他の折曲面が密着している折曲面に対向する面に形成したことを特徴とする。
【００１２】
この構成においては、薄板材を折曲線において同一方向に直角に折曲することによって少なくとも４つの折曲面によって四角柱形状が形成され、１つの折曲面から少なくとも２本の切り起こし線において切り起こされた当接片が対向する折曲面の内側面に密着する。したがって、四角柱形状の内部において互いに対向する２側面のうち、一方の側面から切り起こされた当接片が切り起こされた側面の一部に支持された状態で他方の側面に面接触し、４つの折曲面によって形成される四角柱形状が側面方向及び側面に垂直な方向に補強され、四角柱のいずれかの側面に剪断力又は圧縮力が作用した場合にも、四角柱の断面形状が変形することがない。
また、１つの折曲面の内側面に密着した他の折曲面の内側面に当接片が密着する。したがって、当接片は複数の積層された折曲面のうち最も内側に位置する折曲面の内側面に密着し、四角柱形状を構成する４面のうち、少なくとも当接片が密着する面が複数の折曲面を積層して構成され、四角柱形状の強度が向上する。
【００１３】
(2) (1) の構成において、２本の切り起こし線の間隔を切り起こし線が形成された折曲面に隣接する折曲面を構成する２本の折曲線の間隔に略等しくしたものとすることができる。
【００１４】
この構成においては、２本の切り起こし線の間において当接片を支持する部分が、１つの折曲面から略直角に切り起こされ、この部分に対して当接片が略直角に折り曲げられた状態で１つの折曲面に対向する折曲面に面接触する。したがって、当接片を支持する部分が四角柱形状の内部において４側面のそれぞれに略直交し、四角柱形状を構成する４側面の全てを側面方向及び側面に直交する方向により堅牢に補強することができ、剪断力又は圧縮力の作用による四角柱の断面形状の変形をより確実に防止することができ、梱包箱内において被梱包物の破損を未然に防止することができる。
【００１５】
(3) 前記当接片の一部、及び、当接片が密着する折曲面の一部に互いに係合する係止部を形成したことを特徴とする。
【００１６】
この構成においては、四角柱形状の４面のいずれかを構成する１つの折曲面から切り起こされた当接片が、この折曲面に対向する折曲面の内側面に密着した状態で、当接片に形成された係止部と折曲面に形成された係止部とが係合する。したがって、折曲面の内側面に対する当接片の密着状態が係止部の係合によって維持される。
【００１８】
(4) 前記薄板材の両端部近傍のそれぞれに、中間部を挟んで少なくとも４つの折曲面、及び、単一又は複数の当接片を形成したことを特徴とする。
【００１９】
この構成においては、薄板材の両端部に、少なくとも１つの側面の内側面に当接片が密着する四角柱形状が中間部を挟んで形成される。したがって、十分な強度を有する一対の四角柱が所定の間隔を設けて配置され、一辺の長さが長い被梱包物の梱包箱内における位置を単一の梱包用緩衝装置によって確実に固定することができる。
【００２０】
【発明の実施の形態】
図１は、この発明の第１の実施形態に係る梱包用緩衝装置の展開図である。この実施形態に係る梱包用緩衝装置１は、段ボール等の矩形の薄板材内に、長手方向の３本の折曲線２５〜２７を互いに平行に形成し、側面１３、底面１４、側面１５及び上面１６を構成している。薄板材の一方の長辺と折曲線２５との間に形成される側面１３の高さｈ１は、折曲線２６と折曲線２７との間に形成される側面１５の高さｈ２に等しくされている。また、折曲線２５と折曲線２６との間に形成される底面１４の幅ｗ１は、折曲線２７と薄板材の他方の長辺との間に形成される上面１６の幅ｗ２に等しくされている。
【００２１】
底面１４内には、折曲線２５〜２７に直交する方向の切り起こし線２８ａ及び２８ｂ、切り込み線２９、並びに、切り取り部３４及び３５によって、切欠部２１を有する切り起こし部１７，１８が形成されている。また、底面１４内には、底面１４の長手方向の中央部について切り起こし部１７，１８と対称となる位置に、切り起こし線３０ａ及び３０ｂ、切り込み線３１、並びに、切り取り部３６及び３７によって、切欠部２２を有する切り起こし部１９，２０が形成されている。
【００２２】
薄板材の一方の短片と折曲線２８ａとの間の間隔ｂ１は折曲線２８ｂと切り込み線２９との間隔ｂ２に等しくされており、折曲線２８ａと折曲線２８ｂとの間隔ｂ３は側面１３の高さｈ１及び側面１５の高さｈ２に等しくされている。また、薄板材の他方の短片と折曲線３０ａとの間の間隔ｂ１は折曲線３０ｂと切り込み線３１との間隔ｂ２に等しくされており、折曲線３０ａと折曲線３０ｂとの間隔ｂ３は側面１３の高さｈ１及び側面１５の高さｈ２に等しくされている。
【００２３】
上面１６の短辺側の両端部には、折曲線３２ａ，３３ａ、及び、切り込み線３２ｂ，３２ｃ，３３ｂ，３３ｃが形成されており、係止片２３，２４が構成されている。この係止片２３，２４の形状は、切り起こし部１８，２０における切欠部２１，２２の形状に等しくされている。
【００２４】
なお、上記の折曲線、切り起こし線、切り込み線及び切り取り部は、段ボール等の薄板材に対して木型等のトムソン加工によって形成することができる。
【００２５】
図２は、同梱包用緩衝装置の組立状態を説明する斜視図である。図１に示すように折曲線、切り起こし線、切り込み線及び切り取り部を形成した矩形の薄板材によりこの実施形態に係る梱包用緩衝装置１を組み立てる際には、先ず、切り起こし線２８ａ，３０ａにおいて切り起こし部１７，１９を底面１４から上方に直角に折り曲げるとともに、切り起こし線２８ｂ，３０ｂにおいて切り起こし部１８，２０を切り起こし部１７，１９から薄板材の短片側に直角に折り曲げる。これによって、切り起こし部１８，２０は、底面１４に平行に位置する。また、間隔ｂ１と間隔ｂ２とが等しくされているため、切り起こし部１８及び２０の端面は、薄板板の短片の位置に一致する。
【００２６】
この時、切り起こし部１７，１８及び１９，２０の両側面は、切り取り部３４，３５及び３６，３７によって切り取られているため、底面１４から切り起こし部１７，１８及び１９，２０を容易に折り曲げることができる。
【００２７】
この後、薄板材を折曲線２５〜２７において順次内側に直角に折り曲げる。これにより、側面１３，１５、底面１４及び上面１６によって中空四角柱形状の梱包用緩衝装置１が形成される。この時、切り起こし部１７，１９の高さｂ３が側面１３，１５の高さｈ１，ｈ２と等しくされているため、切り起こし部１８，２０の全面が、上面１６の内側面に密着する。
【００２８】
図３は、同梱包用緩衝装置の組立後における外観図である。図２に示したように、薄板材を折曲線２５〜２７、切り起こし線２８ａ，２８ｂ及び切り起こし線３０ａ，３０ｂにおいて折り曲げることにより、中空四角柱形状を構成したのち、上面１６の両短片の近傍の折曲線３２ａ，３３ａにおいて係止片２３，２４を下方に折り曲げて上面１６の内側面に接触している切り起こし部１８，２０の切欠部２１，２２に係止させている。さらに、側面１３と上面１６とに対して接着テープ１２を貼付している。
【００２９】
これによって、内部において切り起こし部１８，２０の全面を上面１６の内側面に密着させた状態で、梱包用緩衝装置１の形状を中空四角柱形状に固定することができ、上面１６と底面１４との間に圧縮方向の外力が作用した場合にも、梱包用緩衝装置１が容易に変形を生じることがなく、被梱包物に対する外力の直接的な作用を防止する機能を維持することができる。
【００３０】
また、薄板材を３本の折曲線２５〜２７において３回折曲することによって、中空四角柱形の外形を形成することができ、梱包用緩衝装置１の組立作業を容易に行うことができる。さらに、接着テープ１２の貼付に先立って、係止片２３，２４を切り起こし部１８，２０の切欠部に係止させることにより、中空四角柱形状を維持することができ、接着テープ１２を貼付する作業を容易に行うことができる。
【００３１】
図４は、この発明の第２の実施形態に係る梱包用緩衝装置の展開図である。この実施形態に係る梱包用緩衝装置２では、上記第１の実施形態に係る梱包用緩衝装置１の構成に加えて、折曲線２５〜２７に平行な折曲線４１を形成し、薄板材の一方の長片と折曲線４１との間に、両短片に切欠３９，４０を形成した第２上面３８を構成している。
【００３２】
なお、切欠３９，４０は、切り起こし部１８，２０に形成された切欠２１，２２、及び、上面１６に形成された係止片２３，２４と同一形状にされており、第２上面３８において上面１６における係止片２３，２４と同一位置に形成されている。
【００３３】
図５は、同梱包用緩衝装置の組立状態を説明する斜視図である。梱包用緩衝装置２を組み立てる際には、図２において説明した第１の実施形態に係る梱包用緩衝装置１と同様に、底面１４から切り起こし部１７，１８及び切り起こし部１９，２０を折り曲げた後に、折曲線４１，２５〜２７において底面１４に対して、第２上面３８、側面１３、側面１５及び上面１６を折り曲げる。この時、第２上面３８の上側に上面１６を位置させる。これによって、切り起こし部１８，２０の切欠２１，２２、第２上面の切欠３９，４０、及び、上面１６の係止片２３，２４が、同一位置に積層した状態にされる。この後に、係止片２３，２４を折曲線３２ａ，３３ａにおいて内側に折り曲げ、係止片２３，２４を切欠２１，２２及び切欠３９，４０に係合させる。
【００３４】
図６は、同梱包用緩衝装置の外観図である。梱包用緩衝装置２を図５に示した状態で組み立てると、側面１３、底面１４、側面１５、上面１６及び第２上面３８によって中空四角柱形状が形成される。この中空四角柱形状の内部において、切り起こし部１８，２０は全面において第２上面３８の内側面に密着する。また、第２上面３８の外側面は上面１６の内側面の全面に密着する。これらの密着状態は、切欠２１，２２及び切欠３９，４０に対する係止片２３，２４の係合によって維持される。
【００３５】
このように、梱包用緩衝装置２では、上面１６の内側面の全面に第２上面３８が密着するため、上面１６が第２上面３８によって補強され、梱包用緩衝装置２の強度がさらに向上する。また、係止片２３，２４が第２上面３８の切欠３９，４０及び切り起こし部１８，２０の切欠２１，２２に２枚分の厚みにより確実に係合するため、接着テープを用いることなく中空四角柱形状を維持することができる。このため、梱包用緩衝装置２が単一の素材によって構成されることになり、使用後の廃棄処理、又は、再利用処理を容易に行うことができる。
【００３６】
図７は、この発明の第３の実施形態に係る梱包用緩衝装置の展開図である。この実施形態に係る梱包用緩衝装置３は、一例として図４に示した第２の実施形態に係る梱包用緩衝装置２を構成する折曲線等を、単一の薄板材内に中間部４２を挟んで左右対称に形成したものである。この中間部４２は、左右の梱包用緩衝装置２において上面１６に連続して形成されている。また、中間部４２の幅Ｗ３は後述するように、被梱包物の幅、及び、梱包用緩衝装置２の上面１６の幅Ｗ２に基づいて決定される。
【００３７】
図８は、同梱包用緩衝装置の外観図である。図７に示した薄板材において左右一対の梱包用緩衝装置２を組み立てることにより、図８に示すように、左右一対の梱包用緩衝装置２を中間部４２によって連結した梱包用緩衝装置３が形成される。
【００３８】
図９は、同梱包用緩衝装置の使用状態を説明する外観図である。この実施形態に係る梱包用緩衝装置３を用いることにより、被梱包物４の幅が広い場合にも、単一の梱包用緩衝装置３によって被梱包物４の梱包箱内における位置を確実に固定することができる。この場合に、中間部４２の幅Ｗ３は、収納部材５を含む被梱包物４の幅Ｗから梱包用緩衝装置２の上面１６の幅Ｗ２を２倍して差し引いた長さとして算出できる。
【００３９】
【発明の効果】
この発明によれば、以下の効果を奏することができる。
【００４０】
(1) 薄板材を折曲線において同一方向に直角に折曲することによって少なくとも４つの折曲面によって四角柱形状を形成し、１つの折曲面から少なくとも２本の切り起こし線において切り起こされた当接片を対向する折曲面の内側面に密着させることにより、四角柱形状の内部において互いに対向する２側面のうち、一方の側面から切り起こされた当接片を切り起こされた側面の一部に支持された状態で他方の側面に面接触させ、４つの折曲面によって形成される四角柱形状を側面方向及び側面に垂直な方向に補強することができ、四角柱のいずれかの側面に剪断力又は圧縮力が作用した場合にも、四角柱の断面形状の変形を防止することができ、梱包箱内における被梱包物の位置を堅牢に維持することができるとともに、梱包箱に作用した外力を確実に緩衝することができる。
また、１つの折曲面の内側面に密着した他の折曲面の内側面に当接片を密着させることにより、当接片を複数の積層された折曲面のうち最も内側に位置する折曲面の内側面に密着させ、四角柱形状を構成する４面のうち、少なくとも当接片が密着する面を複数の折曲面を積層して構成することができ、四角柱形状の強度をさらに向上することができる。
【００４１】
(2) 四角柱形状の４面のいずれかを構成する１つの折曲面から切り起こされた当接片を、この折曲面に対向する折曲面の内側面に密着した状態で、当接片に形成された係止部と折曲面に形成された係止部とを係合させることにより、折曲面の内側面に対する当接片の密着状態を係止部の係合によって堅牢に維持することができ、素材の異なる接着テープ等を用いる必要がなく、使用後における廃棄処理や再利用処理を容易に行うことができる。
【００４３】
(3) 薄板材の両端部に、少なくとも１つの側面の内側面に当接片が密着する四角柱形状を中間部を挟んで形成することにより、十分な強度を有する一対の四角柱を所定の間隔を設けて配置し、一辺の長さが長い被梱包物の梱包箱内における位置を単一の梱包用緩衝装置によって確実に固定することができる。
【図面の簡単な説明】
【図１】この発明の第１の実施形態に係る梱包用緩衝装置の展開図である。
【図２】同第１の実施形態に係る梱包用緩衝装置の組立状態を説明する斜視図である。
【図３】同第１の実施形態に係る梱包用緩衝装置の外観図である。
【図４】この発明の第２の実施形態に係る梱包用緩衝装置の展開図である。
【図５】同第２の実施形態に係る梱包用緩衝装置の組立状態を説明する斜視図である。
【図６】同第２の実施形態に係る梱包用緩衝装置の外観図である。
【図７】この発明の第３の実施形態に係る梱包用緩衝装置の展開図である。
【図８】同第２の実施形態に係る梱包用緩衝装置の外観図である。
【図９】同第２の実施形態に係る梱包用緩衝装置の使用状態を説明する斜視図である。
【図１０】従来の梱包用緩衝装置の使用状態を説明する斜視図である。
【図１１】上記従来の梱包用緩衝装置の組立状態を説明する斜視図である。
【図１２】上記従来の梱包用緩衝装置の外観図である。
【図１３】上記従来の梱包用緩衝装置に外力が作用した状態を説明する断面図である。
【符号の説明】
１〜３−梱包用緩衝装置
１３，１５−側面（折曲面）
１４−底面（折曲面）
１６−上面（折曲面）
２５〜２７−折曲線
１８，２０−切り起こし部（当接片）
２１，２２−切欠（係合部）
２３，２４−係止片（係合部）
【図１】
0003734641.tif 000002
【図２】
0003734641.tif 000003
【図３】
0003734641.tif 000004
【図４】
0003734641.tif 000005
【図５】
0003734641.tif 000006
【図６】
0003734641.tif 000007
【図７】
0003734641.tif 000008
【図８】
0003734641.tif 000009
【図９】
0003734641.tif 000010
【図１０】
0003734641.tif 000011
【図１１】
0003734641.tif 000012
【図１２】
0003734641.tif 000013
【図１３】
0003734641.tif 000014